(57)【要約】  本発明は、改良された弾性効果を有する日除け用関節アームに関する。本発明はアーム（１）及び前アーム（２）を有し、アーム（１）及び前アーム（２）は前記アームの隣り合う端部（１ａ、２ａ）に配置された各々の関節手段（３、４）によって互いに関節をなし、前記アームは開位置と閉位置との間で移動可能となる。アーム内部は、前アーム（２）の端部（２ａ）において関節手段（４）に固定される第２の端部と、弾性引張要素（６）に連結される第１の端部と、を有する可撓性支線を含む。さらに、弾性引張要素（６）はアーム（１）の固定点（７）へ、及び可撓性支線（５）用のストップ要素（９）とアーム（１）の端部（１ａ）用の支持部（１０）との間に配置される弾性圧縮要素（８）へ固定される。このようにして、本発明に係る組付体は開位置から閉位置へ移動する際に支線（５）が伸張し、それによって開位置方向へのトルクが発生する。
2007514882.tif 000002
【特許請求の範囲】
【請求項１】
アーム（１）及び前アーム（２）を有し、それらは各々の関節構造体（３、４）によって連結され、関節構造体（３、４）はアーム（１）及び前アーム（２）の隣り合う端部（１ａ、２ａ）に配置され、アーム（１）及び前アーム（２）は開位置と閉位置との間で変化可能であり、可撓性タイバー（５）は前記アーム（１）の内側に配置されて、アーム（１）の固定点（７）に固定された少なくとも１つの弾性引張要素（６）に連結された第１の端部（５ａ）と、前アーム（２）の前記端部（２ａ）において前記関節構造体（４）に固定された第２の端部（５ｂ）とを有し、前記開位置から前記閉位置へ移動する際のアーム（１）と前アーム（２）との相対移動の結果、前記弾性引張要素（６）の伸びと、前記可撓性タイバー（５）において開位置方向へ向かうトルクを発生する結果的な伸張力とを生じるタイプの改良された弾性効果を有する関節アームであって、
前記可撓性タイバー（５）のストッパ（９）とアーム（１）の前記端部（１ａ）に連結された支持部（１０）との間に配置された少なくとも１つの弾性圧縮要素（８）を有し、開位置から閉位置に移動する際のアーム（１）と前アーム（２）との相対移動の結果前記弾性圧縮要素（８）の短縮及び結果的な伸張力を生じ、その伸張力は前記可撓性タイバー（５）の前記伸張力に追加され、開位置に向おうとする前記トルクを増加することに寄与することを特徴とするアーム。
【請求項２】
アーム（１）及び前アーム（２）が開位置にある際、弾性引張要素（６）は所定値を有する初期引張力を及ぼすことを特徴とする請求項１に記載のアーム。
【請求項３】
アーム（１）及び前アーム（２）が開位置にある際、弾性圧縮要素（８）はゼロ又は無視し得る値を有する初期圧縮力を及ぼすことを特徴とする請求項２に記載のアーム。
【請求項４】
弾性引張要素（６）及び弾性圧縮要素（８）は、アーム（１）及び前アーム（２）が開位置から閉位置に移動する際に所定の進行に従って前記可撓性タイバー（５）の伸張力の増加をもたらすように選択されることを特徴とする請求項２又は３に記載のアーム。
【請求項５】
可撓性タイバー（５）はアーム（１）の空洞内部領域の内側に配置され、アーム（１）の前記端部（１ａ）にある前記関節構造体（３）は可撓性タイバー（５）に対する前アーム（２）の前記端部（２ａ）にある前記関節構造体（４）への通路（１１）を有し、前記可撓性タイバー（５）の一部は関節の回転軸から離れた関節構造体（４）の表面に支持されることを特徴とする請求項１に記載のアーム。
【請求項６】
可撓性タイバー（５）は前記第１及び第２の端部（５ａ、５ｂ）において各々の把持構造で終端する平ベルトの形状を有することを特徴とする請求項５に記載のアーム。
【請求項７】
前記平ベルトは内部金属強化芯を有することを特徴とする請求項６に記載のアーム。
【請求項８】
前記弾性引張要素（６）は引張コイルバネであることを特徴とする請求項５に記載のアーム。
【請求項９】
前記弾性圧縮要素（８）は圧縮コイルバネであることを特徴とする請求項５に記載のアーム。
【請求項１０】
弾性圧縮要素（８）は圧縮コイルバネであり、その中を可撓性タイバー（５）が通り、前記ストッパ（９）は可撓性タイバー（５）の第１の端部（５ａ）の前記把持構造に組み入れられ、前記支持部（１０）はアーム（１）の端部（１ａ）の前記通路（１１）への入口に隣接して配置されることを特徴とする請求項６に記載のアーム。
【発明の詳細な説明】
【技術分野】
【０００１】
本発明は、互いに関節をなすアーム及び前アームと、弾性引張要素及び弾性圧縮要素に関連付けられてアーム及び前アームを開位置に向かって押す可撓性タイバーと、を備える改良された弾性効果を有する日除け用関節アームに関する。
【背景技術】
【０００２】
アーム及び前アームからなる日除け用関節アーム構造体は古典的デザインである。アーム及び前アームの各々は、差込部で終端する端部を有する管状アームを有する。アーム及び前アームは、前記の隣り合う関節構造体の２つによって形成される関節で互いに連結される。アーム本体をなす形態の内部には引張バネがあり、バネは一端において管状形態の固定点に連結され、他端によって可撓性タイバーに連結される。可撓性タイバーは、他端において前アームの関節構造体の芯に固定される。前記可撓性タイバーの一部は関節の回転軸から相対的に外れた前記芯の表面に支持され、引張バネにより生じる伸張力により、アーム及び前アームを開位置に維持しようとする回転トルクが発生する。
【０００３】
本出願人の国際公開第９８／０１６３８号パンフレットには、関節の一連の改良を与える、上記タイプの日除け支持用関節が記載されており、これにおいては、上記可撓性タイバーは、内部に金属補強フィラメントが入れられた平ベルトを備える。このベルトは、その２つの端部において引張バネ及び芯のそれぞれにベルトを連結する終端を有する。ベルトの２つの端部は、ベルトを弾性引張要素及び芯に連結する鋳造終端を有する。前記終端は、ベルトの端部において前記金属強化フィラメントの端部に接続される。
【０００４】
このタイプの日除けアームの不都合の１つは、アーム及び前アームが閉じる際アーム及び前アームは日除けの伸張力適用線に対して絶えず増加する傾斜位置になることを考慮すれば、アーム及び前アームが開位置から閉位置へ移動する際弾性引張要素が伸びることによってもたらされる回転トルクの増加が、前アームの端部における日除けの伸張力により発生する抵抗トルクの増加に対して不十分となる点である。日除けキャンバスが巻上バーに完全に巻き取られてアームが完全に折り畳まれると、弾性引張要素に蓄積された弾性エネルギーは、キャンバスの巻き取りが解かれる際に荷重バーを開位置に向って押すには不十分になる可能性がある。
【特許文献１】国際公開第９８／０１６３８号パンフレット
【特許文献２】米国特許第２０３８０４５号明細書
【特許文献３】仏国特許出願公開第２４２１２４６号明細書
【特許文献４】独国特許出願公開第１９６３３２４９号明細書
【特許文献５】スペイン国特許出願公開第２１３１４４８号明細書
【発明の開示】
【発明が解決しようとする課題】
【０００５】
したがって、アームが開いている際には適切な程度の伸張力で日除けキャンバスを維持するのに十分な初期伸張力を与え、アームが閉じている際にはキャンバスの巻き取りが解かれながら日除けキャンバスを開位置に押すのに十分に蓄積された弾性エネルギーを保有する改良された弾性効果を有する関節日除けアームが必要とされている。
【課題を解決するための手段】
【０００６】
本発明は、改良された弾性効果を有する関節日除けアームを提供することによって前記必要性を解決することに寄与する。関節日除けアームは通常、その隣り合う端部に配置された各々の関節構造体によって連結されたアーム及び前アームからなり、それらを開位置と閉位置とに変更することが可能である。可撓性タイバーは前記アーム内部にあり、アームの固定点に固定された少なくとも１つの弾性引張要素に連結された第１の端部と、前アームの前記端部において前記関節構造体に固定された第２の端部とを有する。可撓性タイバー及び弾性引張要素に対する固定点は、前記開位置から前記閉位置に移動する際のアーム及び前アームの相対移動の結果、アームを開位置に向って押そうとするトルクを発生する前記可撓性タイバーに結果的に生じる伸張力と共に、前記弾性引張要素の伸びが生じるようになっている。本発明の日除けアームの１つの特徴は、それがアームの前記端部に連結された可撓性タイバー上のストッパと支持部との間に配置された少なくとも１つの弾性圧縮要素を有することである。前記開位置から前記閉位置へ移動する際のアームと前アームとの前記相対移動の結果、前記弾性圧縮要素の短縮が生じ、前記可撓性タイバーに伸張力が追加され、開位置に向おうとする前記トルクが増加する。
【０００７】
好ましくは、アーム及び前アームが開位置にある際、弾性引張要素は所定値を有する初期引張力を生ずる一方、弾性圧縮要素はゼロ又は無視し得る値の初期圧縮力を生じる。アーム及び前アームは開いているので、それらはキャンバスの伸張力適用線に対して最小傾斜位置にあり、弾性引張要素の初期引張力はキャンバスの張りを維持するには十分であり、アーム及び前アームが開位置から閉位置へ移動し始める際は、弾性圧縮要素が動作し始めてその伸張力を増加し、これが弾性引張要素の引張力に追加される。アーム及び前アームが完全に閉じられている際は、両方の弾性要素に蓄積された弾性エネルギーは、キャンバスの巻き取りが解かれるときにキャンバスを開位置に押すのに十分である。この配置は引張及び圧縮の弾性要素の選択を可能にし、弾性要素は、アーム及び前アームが開位置から閉位置に移動する際の所定の進行に応じて可撓性タイバーの伸張力の増加をもたらす。
【０００８】
本発明の日除けアームと共に上記の国際公開第９８／０１６３８号パンフレットに記載された可撓性タイバーを用いるならば、関節の、よりコンパクトで美的なデザインが可能になるので好都合であろう。弾性引張要素は引張コイルバネでもよく、弾性圧縮要素は中を可撓性タイバーが通過する圧縮コイルバネでもよく、前記圧縮コイルバネは、可撓性タイバーの第１の端部の把持構造に組み入れられたストッパと、アームの端部にある関節構造体内の通路への入口に配置された支持部との間で圧縮される。前記通路は、アームの中空内部と、可撓性タイバーの端部が固定される前アームの端部にある関節構造体とをつないでいる。
【発明を実施するための最良の形態】
【０００９】
前述の及び他の特徴及び利点は、添付の図面に関連する製品例の以下の詳細な記載を用いて、より完全に理解されるであろう。
【００１０】
先ず図１を参照すると、本発明に係る、改良された弾性効果を有する関節日よけアームは、その隣り合う端部１ａ、２ａに配置された各々の関節構造体３、４よって連結されたアーム１及び前アーム２を備える。この関節は、アーム及び前アーム１、２の組付体が開位置（図１に示される）と閉位置との間を移動可能なエルボーを形成する。典型的な用途においては、アーム１は、その他端１ｂにおいて、アーム及び前アームの組付体１、２を固定支持部に関節連結するための関節固定構造体５を有し、前アーム２は、その他端２ｂにおいて、日除け荷重バー（図示せず）に関節連結するための関節支持部６で終端する。アーム及び前アームの組付体１、２は、日除けキャンバスが機械的又は手動的に駆動されて巻上バーに巻き取られる際の日除けキャンバスの引張効果によって、開位置から閉位置に移動する。
【００１１】
閉移動の間、前アームの端部２ａの関節支持構造体６は、アーム１の端部１ｂの関節固定部５の方向に実質的に直線的な経路を辿る一方で、アーム１及び前アーム２の隣り合う端部１ａ、２ａの関節構造体３、４により形成される関節は前記経路から徐々に離れる。経路は日除けの伸張力適用線に一致し、エルボー関節の前記伸張力適用線に対する距離の増加によりエルボー関節における回転トルクの増加が生じる。前記回転トルクを打ち消すために、アーム１の内側には可撓性タイバー５があり、その第１の端部５ａはアーム１の固定点７に固定された少なくとも１つの弾性引張要素６に連結され、その第２の端部５ｂは前アーム２の前記第２の端部２ａにおいて前記関節構造体４に固定される。可撓性タイバー５のストッパ９と、アーム１の前記端部１ａに連結された支持部１０との間には弾性圧縮要素８が配置される。前記開位置から前記閉位置へ移動する際のアーム１と前アーム２との相対移動の結果、及び以下に記載するような前記可撓性タイバー５の配置により、前記弾性引張要素６の伸びが生じ、それと同時に前記弾性圧縮要素８の短縮が生じる。これらが組み合わせられて可撓性タイバー５には結果的な伸張力が生じ、アーム及び前アームの組付体を開位置に向って押す程度のトルクが発生する。
【００１２】
図２は開位置にあるアーム１及び前アーム２を示す。アーム１及び前アーム２は管状形態からなり、その隣り合う端部には、各々の関節構造体３、４を定める部品が差し込まれる。図示された例では、可撓性タイバー５は、アーム１の中空内部の内側に配置され、アーム１の端部１ａの関節構造体３内の通路１１を、前アーム２の端部２ａにある関節構造体４に向って通過する。可撓性タイバー５の一部は、関節の回転軸から所定の距離において、関節構造体４の表面に支持される。関節軸から離れた支持点に対する可撓性タイバー５の伸張力の効果により、アーム及び前アームを開位置に向って押す回転トルクが発生する。図示された製品例では、可撓性タイバー５は、前記第１及び第２の端部５ａ、５ｂにおいて各々の把持構造によって終端する平ベルトの形状を有し、これらの把持構造は平ベルトの内側の内部金属強化芯に接続される。弾性引張要素６は引張コイルバネであり、弾性圧縮要素８は圧縮コイルバネであり、それらの中を可撓性タイバー５が通る。前記ストッパ９は、可撓性タイバー５の第１の端部５ａの把持構造に組み入れられ、前記支持部１０はアーム１の端部１ａの前記通路１１への入口に隣接して配置される。弾性圧縮要素８はストッパ９と支持部１０との間で圧縮され、それと同時に、弾性引張要素６はアーム１の固定点７と、可撓性タイバー５の第１の端部５ａの把持構造との間で引張られる。
【００１３】
図２に示される開位置において、弾性引張要素６は日除けキャンバスを開位置に伸ばされた状態に維持するのに十分な所定値の初期引張力を及ぼす一方で、弾性圧縮要素８はゼロ又は無視し得る初期圧縮値を生じる。アーム及び前アームの組付体１、２が閉じる際、弾性引張要素６により発生する伸張力は増加し、これは弾性圧縮要素８により生じる伸張力に徐々に追加され、開位置に向おうとする前記トルクを増加することに寄与する。アーム及び前アームの組付体１、２が図３に示される閉位置に到達する際は、弾性引張要素６は最大値まで伸び、弾性圧縮要素８は最大値まで圧縮され、可撓性タイバー５の伸張力は最大値となり、その結果、発生するトルクも最大値となり、キャンバスの巻き取りが解かれ始める際に荷重バーとそれに固定されたキャンバス日除けとを開位置に向けて押すのに十分となる。
【００１４】
好ましくは、弾性引張要素６及び弾性圧縮要素８は、アーム１及び前アーム２が開位置から閉位置に移動する際に所定の進行に従って可撓性タイバー５に伸張力の増加をもたらすように選択されて、日除けキャンバスの伸張力により生じた回転トルクの増加を打ち消す。
【００１５】
記載及び図示された製品例は単なるガイドラインであり、添付の特許請求の範囲により規定される本発明の範囲を限定する性質のものではない。
【図面の簡単な説明】
【００１６】
【図１】開位置にある本発明に係る改良された弾性効果を有する関節日除けアームの一部を破断して示す側面図である。
【図２】ＩＩ−ＩＩ線に沿って切り取り矢印方向から見た部分断面図である。
【図３】図２に類似する部分断面図であるが、アームは閉位置にある。
【図１】
2007514882.tif 000003
【図２】
2007514882.tif 000004
【図３】
2007514882.tif 000005
【国際調査報告】
2007514882.tif 000006
2007514882.tif 000007
2007514882.tif 000008
2007514882.tif 000009